(57)【要約】【課題】優れた作業性の下でタイルの側面を加飾することができるタイルの搬送加飾装置を提供する。【解決手段】搬送手段はタイル５の少なくとも一つの側面５ｂが搬送方向と平行になるようにタイル５を搬送し、加飾手段は、タイル５の搬送方向に直交するとともに側面５ｂと平行な軸心１４ａ周りで回転され、周面が側面５ｂと当接する印刷面１４ａとされた垂直ローラ１４を有する。【選択図】        図１
2004298791.tif 000002
【特許請求の範囲】
【請求項１】
タイルを搬送する搬送手段と、該搬送手段によって搬送される該タイルに加飾を施す加飾手段とを備えたタイルの搬送加飾装置において、
前記搬送手段は前記タイルの少なくとも一つの側面が搬送方向と平行になるように該タイルを搬送し、
前記加飾手段は、該タイルの搬送方向に直交するとともに該側面と平行な軸心周りで回転され、周面が該側面と当接する印刷面とされたローラを有することを特徴とするタイルの搬送加飾装置。
【請求項２】
前記ローラは、前記タイルの搬送方向に直交する平面内で揺動可能に構成されていることを特徴とする請求項１記載のタイルの搬送加飾装置。
【請求項３】
前記ローラは、前記タイルの搬送速度と同期して前記印刷面を回転させるように構成されていることを特徴とする請求項１又は２記載のタイルの搬送加飾装置。
【請求項４】
前記タイルを前記加飾手段とともに挟む挟持部材を備えていることを特徴とする請求項１、２又は３記載のタイルの搬送加飾装置。
【請求項５】
前記挟持部材は、少なくとも前記加飾手段より前記タイルの搬送方向の上流側に備えられていることを特徴とする請求項４記載のタイルの搬送加飾装置。
【発明の詳細な説明】
【０００１】
【発明の属する技術分野】
本発明はタイルの搬送加飾装置に関する。
【０００２】
【従来の技術】
従来のタイルの搬送加飾装置は、タイルを搬送する搬送手段と、搬送手段によって搬送されるタイルに加飾を施す加飾手段とが備えられている（例えば、特許文献１参照。）。搬送手段としては、コンベヤベルトによってタイルを所定の搬送路に沿って移動させるコンベヤ装置が備えられている。加飾手段としては、コンベヤ装置のコンベヤベルト上において、タイルに模様等を加飾可能なローラが備えられている。ローラは、タイルの搬送方向に直交するとともにタイルの表面と平行な軸心周りで回転され、周面がタイルの表面と当接する印刷面とされている。
【０００３】
このタイルの搬送加飾装置によれば、搬送手段によってタイルを搬送しつつ、加飾手段によってそのタイルの表面に加飾を施すことができる。
【０００４】
【特許文献１】
特開平１１−３１４９８１号公報
【０００５】
【発明が解決しようとする課題】
しかし、上記従来のタイルの搬送加飾装置では、タイルの表面しか加飾することができず、タイルの側面を加飾することができない。このため、優れた意匠のタイルを製造することができない。この点、別途、タイルの側面をスプレー等で加飾することも考えられるが、スプレー等による加飾では、マスキングを施さない限り、タイルの表面も加飾されてしまうこととなり、作業性に欠ける。
【０００６】
本発明は、上記従来の実情に鑑みてなされたものであって、優れた作業性の下でタイルの側面を加飾することができるタイルの搬送加飾装置を提供することを解決すべき課題としている。
【０００７】
【課題を解決するための手段】
本発明のタイルの搬送加飾装置は、タイルを搬送する搬送手段と、該搬送手段によって搬送される該タイルに加飾を施す加飾手段とを備えたタイルの搬送加飾装置において、
前記搬送手段は前記タイルの少なくとも一つの側面が搬送方向と平行になるように該タイルを搬送し、前記加飾手段は、該タイルの搬送方向に直交するとともに該側面と平行な軸心周りで回転され、周面が該側面と当接する印刷面とされたローラを有することを特徴とする。
【０００８】
本発明のタイルの搬送加飾装置では、搬送手段によってタイルの少なくとも一つの側面が搬送方向と平行になるようにタイルを搬送する。そして、加飾手段では、ローラがタイルの搬送方向に直交するとともにタイルの側面と平行な軸心周りで回転する。その際、ローラの周面がタイルの側面と当接する印刷面となっているため、その印刷面によってタイルの側面を加飾することができる。こうして、マスキングを施さなくても、タイルの側面だけを加飾することができ、優れた作業性を発揮する。
【０００９】
したがって、本発明のタイルの搬送加飾装置では、優れた作業性の下でタイルの側面を加飾することができる。このため、このタイルの搬送加飾装置を用いれば、優れた意匠のタイルを製造することができる。
【００１０】
本発明のタイルの搬送加飾装置において、ローラは、タイルの搬送方向に直交する平面内で揺動可能に構成されていることが好ましい。こうであれば、タイルの側面が斜面や円弧面であったりしても、タイルの側面全体に均一に加飾することができる。
【００１１】
本発明のタイルの搬送加飾装置において、ローラは、タイルの搬送速度と同期して印刷面を回転させるように構成されていることが好ましい。ローラの印刷面がタイルの搬送速度と同期することにより、タイルの側面でローラの印刷面が摺動することを防止でき、正確に加飾することができる。また、従来のタイルの表面を加飾する搬送加飾装置はローラがタイルの搬送速度と同期して印刷面を回転させるように構成されていることから、この搬送加飾装置を同時に用いれば、タイルの表面及び側面の模様を整合させることができ、より一層優れた意匠のタイルを製造することができる。
【００１２】
本発明のタイルの搬送加飾装置は、タイルを加飾手段とともに挟む挟持部材を備えていることが好ましい。挟持部材と加飾手段との間でタイルを挟むことによって、加飾手段がタイルの側面に面圧を確保することができ、タイルの側面を鮮明に加飾することができる。挟持部材が少なくとも加飾手段よりタイルの搬送方向の上流側に備えられている場合には、挟持部材によって加飾するための適度な位置にタイルを案内することができ、タイルの側面を正確に加飾することができる。
【００１３】
【発明の実施の形態】
本発明を具体化した実施形態１、２を図面を参照しつつ説明する。
【００１４】
（実施形態１）
実施形態１の搬送加飾装置では、図１に示すように、２本のコンベヤベルト１１を備えたコンベヤ装置１０が備えられている。コンベヤ装置１０では、上流側から下流側に向かってコンベヤベルト１１が移動できるようになっており、コンベヤベルト１１の移動方向がタイル５の搬送方向となっている。上流側におけるコンベヤ装置１０上では、コンベヤベルト１１に対して水平に位置しながら、タイル５の搬送方向に対して直交する位置にフレキソ印刷機１２が備えられている。
【００１５】
フレキソ印刷機１２には、タイル５の表面５ａを大理石模様に印刷可能なセンタードラム１２ａが備えられており、センタードラム１２ａの周囲には、センタードラム１２ａに大理石模様を転写する転写ロール１２ｂ、転写ロール１２ｂに大理石模様の加飾剤を供給する加飾剤供給ロール１２ｃ及びセンタードラム１２ａから余分な加飾剤を除去する加飾剤除去ロール１２ｄが備えられている。このようなフレキソ印刷機１２はタイル５の表面５ａと平行な位置の上側に設けられており、センタードラム１２ａがタイル５の表面５ａに接触可能になっている。こうして、フレキソ印刷機１２のセンタードラム１２ａの下面では、タイル５の表面５ａを大理石模様に加飾できるようになっている。
【００１６】
特に、図１及び２に示すように、下流側におけるコンベヤ装置１０上では、コンベヤベルト１１の側方における一方側に位置しながら、タイル５の搬送方向に対して直交する垂直ローラ１４が備えられている。垂直ローラ１４はタイル５の一方の側面５ｂと平行な軸心１４ａ周りで回転可能になっており、軸心１４ａはモータＭによって回転可能に軸支されている。モータＭは、コンベヤ装置１０の側方に対して軸心１４ａの角度を変更できるようにその側方に設けられている。こうして、垂直ローラ１４は、タイル５の搬送方向に対して直交する平面内で揺動可能にコンベヤ装置１０に取り付けられている。また、垂直ローラ１４の周面には印刷面１４ｂが備えられており、印刷面１４ｂでは大理石模様を印刷できるよに加飾剤が供給されるようになっている。その際、垂直ローラ１４では、タイル５の搬送速度と同期するように印刷面１４ｂが回転可能になっている。
【００１７】
また、コンベヤ装置１０の下流側では、コンベヤベルト１１の側方における他方側に位置しながら、タイル５の搬送方向に対して平行に位置する棒状のガイド１６が備えられている。ガイド１６は、一端が垂直ローラ１４よりタイル５の搬送方向の上流側に位置しており、他端が垂直ローラ１４よりタイル５の搬送方向の下流側に位置している。このため、ガイド１６は、少なくとも垂直ローラ１４よりタイル５の搬送方向の上流側に備えられこととなるため、タイル５の他方の側面５ｂと接触しながらタイル５を搬送方向に案内するようになっている。
【００１８】
こうして、コンベヤベルト１１を備えたコンベヤ装置１０が搬送手段であり、印刷面１４ｂを備えた垂直ローラ１４が加飾手段である。また、ガイド１６が挟持部材である。
【００１９】
以上のように構成される搬送加飾装置では、無地のタイル５がコンベヤ装置１０のコンベヤベルト１１上に載置される。そして、そのタイル５は、搬送方向に向かって移動することにより、フレキソ印刷機１２とコンベヤベルト１１との間を移動することとなる。その際、フレキソ印刷機１２がタイル５の表面５ａ上に加飾剤を加飾することとなる。こうして、タイル５の表面５ａに大理石模様が加飾されることとなる。
【００２０】
大理石模様が表面５ａに加飾されたタイル５は、さらに搬送方向に向かって移動することとなる。そして、タイル５は、ガイド１６によって搬送方向に案内される。ガイド１６は、垂直ローラ１４よりタイル５の搬送方向の上流側から下流側まで備えられているため、加飾するための適度な位置にタイル５を案内することができる。こうして、タイル５は、ガイド１６と垂直ローラ１４との間で挟持されながら移動することとなる。その際、垂直ローラ１４の周面がタイル５の一方の側面５ｂに当接する印刷面１４ｂとなっており、ガイド１６により垂直ローラ１４がタイル５の側面５ａに面圧を確保することができるため、その印刷面１４ｂによってタイル５の一方の側面５ｂを大理石模様に鮮明かつ正確に加飾することができる。こうして、マスキングを施さなくても、タイル５の一方の側面５ｂだけを加飾することができ、優れた作業性を発揮する。
【００２１】
また、垂直ローラ１４は、タイル５の搬送方向に直交する平面内で揺動可能にコンベヤ装置１０の取り付けられていることから、図３に示すように、タイル５の一方の側面５ｂが垂直面であれば、垂直ローラ１４の印刷面１４ｂをその側面５ｂに一致させることができる。また、図４に示すように、タイル５の一方の側面５ｂが斜面であれば、その印刷面１４ｂを斜面に一致させることができる。さらに、図５に示すように、タイル５の一方の側面５ｂに端部５１ｂが形成されている場合、その側面５ｂに印刷面１４ｂを一致させることができ、再度、端部５１ｂに印刷面１４ｂを一致させることができる。また、図６に示すように、タイル５の一方の側面５ｂが円弧面であれば、数回、その印刷面１４ｂを揺動させることによって、印刷面１４ｂを円弧面に一致させることができる。こうして、図３〜６に示すタイル５の側面５ｂが斜面や円弧面等であったりしても、タイル５の側面５ｂ全体に均一に加飾することができる。
【００２２】
特に、垂直ローラ１４の印刷面１４ｂがタイル５の一方の側面５ｂに当接する際、垂直ローラ１４ではタイル５の搬送速度と同期して印刷面１４ｂが回転することとなる。その印刷面１４ｂがタイル５の搬送速度と同期することにより、タイル５の一方の側面５ｂでその印刷面１４ｂが摺動することを防止でき、正確に加飾することができる。こうして、タイル５の表面５ａ及び側面５ｂの模様を整合させることができ、より一層優れた意匠のタイル５を製造することができる。
【００２３】
したがって、実施形態１の搬送加飾装置では、優れた作業性の下でタイル５の側面５ｂを加飾することができる。このため、このタイル５の搬送加飾装置を用いれば、優れた意匠のタイル５を製造することができる。
【００２４】
なお、タイル５の一方の側面５ｂを加飾した後、タイル５の搬送方向を変えたり、垂直ローラ１４の位置を変えたりすることによって、タイル５の他の３つの側面５ｂを加飾することも可能である。
【００２５】
また、フレキソ印刷機１２に替えて、インクジェット等のスプレー印刷機、ロール印刷機又はスクリーン印刷機等を採用することも可能である。
【００２６】
（実施形態２）
実施形態２の搬送加飾装置では、図７に示すように、実施形態１のガイド１６に変えて、さらに垂直ローラ１４を設けることができる。他の構成は実施形態１と同様である。
【００２７】
こうして、コンベヤ装置１０の下流側において、コンベヤベルト１１の両方の側方に各垂直ローラ１４が位置することによって、タイル５の両側面５ｂを同時に加飾させることができる。他の作用効果は実施形態１と同様である。
【図面の簡単な説明】
【図１】実施形態１に係り、搬送加飾装置の全体斜視図である。
【図２】実施形態１に係り、搬送加飾装置の拡大側面図である。
【図３】実施形態１に係り、タイルの拡大横断面図である。
【図４】実施形態１に係り、他のタイルの拡大横断面図である。
【図５】実施形態１に係り、他のタイルの拡大横断面図である。
【図６】実施形態１に係り、他のタイルの拡大横断面図である。
【図７】実施形態２に係り、搬送加飾装置の全体斜視図である。
【符号の説明】
５…タイル
１０、１１…搬送手段（１０…コンベヤ装置、１１…コンベヤベルト）
１４、１４ｂ…加飾手段（１４…垂直ローラ、１４ｂ…印刷面）
５ｂ…側面
１４ａ…軸心
１６…挟持部材（ガイド）
【図１】
2004298791.tif 000003
【図２】
2004298791.tif 000004
【図３】
2004298791.tif 000005
【図４】
2004298791.tif 000006
【図５】
2004298791.tif 000007
【図６】
2004298791.tif 000008
【図７】
2004298791.tif 000009